(57)【特許請求の範囲】
【請求項１】
コードレス基地局と認可装置との間の通信リンクの正当性を確認する方法であって、前記コードレス基地局は電話網に結合され、無線通信装置と通信することが可能でありかつ前記電話網を介して前記認可装置に結合され、前記正当性の確認によって前記コードレス基地局は前記電話網において動作することが許可され、当該方法は：
前記認可装置と通信するために前記コードレス基地局を認証する段階であって、前記コードレス基地局を認証する段階は前記認可装置内で生成されかつ前記コードレス基地局に通信される第１乱数、および前記第１乱数に基づく前記コードレス基地局からの適正な応答が前記認可装置に通信されたことに基づく、段階、
前記コードレス基地局と通信するために前記認可装置を認証する段階であって、前記認可装置を認証する段階は前記コードレス基地局で生成されかつ前記認可装置に通信される第２乱数、および前記第２乱数に基づく前記認可装置からの適正な応答が前記コードレス基地局に通信されたことに基づく、段階、
前記コードレス基地局と前記認可装置とが認証されたときに前記コードレス基地局と前記認可装置との間の通信リンクを許可する段階；
を具備することを特徴とする通信リンクの正当性を確認する方法。
【請求項２】
前記コードレス基地局を認証する前記段階が、前記認可装置から前記コードレス基地局に対して接続メッセージを送信する段階を備え、前記接続メッセージには前記認可装置によって生成された前記第１乱数が含まれる請求項１記載の通信リンクの正当性を確認する方法。
【請求項３】
更に、前記コードレス基地局を認証する前記段階が、前記コードレス基地局から前記認可装置に対してコードレス基地局認証結果を送信する段階を備える請求項２記載の通信リンクの正当性を確認する方法。
【請求項４】
前記認可装置を認証する前記段階が、前記コードレス基地局から前記認可装置に認可装置認証メッセージを送信する段階を備え、前記認可装置認証メッセージには前記コードレス基地局によって生成された前記第２乱数が含まれる請求項１記載の通信リンクの正当性を確認する方法。
【請求項５】
更に、前記認可装置を認証する前記段階が、前記認可装置から前記コードレス基地局に対して認可装置認証結果を送信する段階を備える請求項４記載の通信リンクの正当性を確認する方法。
【請求項６】
コードレス基地局が電話網において動作することを許可するために前記コードレス基地局と前記電話網に接続された認可装置との間の有線通信リンクの正当性を確認する方法であって：
（ａ）前記認可装置から前記コードレス基地局に対して、第１乱数を有する第１認証要求信号を送信する段階；
（ｂ）前記第１乱数に基づいて前記コードレス基地局内で第１認証結果を生成しかつ該第１認証結果を前記認可装置に送信する段階；
（ｃ）前記第１乱数に基づいて前記認可装置内で第２認証結果を生成する段階；
（ｄ）前記第１認証結果と前記第２認証結果とを比較して、前記第１認証結果と前記第２認証結果との間で整合が存在すれば前記コードレス基地局を認証する段階；
（ｅ）前記コードレス基地局から前記認可装置に対して、第２乱数を含む第２認証要求信号を送信する段階；
（ｆ）前記第２乱数に基づいて前記認可装置内で第３認証結果を生成しかつ該第３認証結果をコードレス基地局に送信する段階；
（ｇ）前記第２乱数に基づいて前記コードレス基地局内で第４認証結果を生成する段階；および
（ｈ）前記第３認証結果と前記第４認証結果とを比較して、前記第３認証結果と前記第４認証結果との間で整合が存在すれば前記認可装置を認証する段階；
を具備することを特徴とする方法。
【請求項７】
認可装置を有する通信システムにおいて動作するコードレス基地局を認証する方法であって、前記認可装置は前記コードレス基地局に通信可能に結合され、前記認証によって前記コードレス基地局は前記通信システムにおいて動作することが許可され、前記コードレス基地局は自己に関連する識別コードを有し、当該方法は：
前記認可装置から前記コードレス基地局に対して、前記認可装置で生成された乱数を含む認証要求を送信する段階；
前記乱数および識別コードに基づいて、第１認証結果を生成する段階；
前記第１認証結果を前記認可装置に送信する段階；
前記コードレス基地局に関連する前記識別コードを前記認可装置に送信する段階；
前記乱数および前記識別コードに基づいて、前記認可装置において第２認証結果を生成する段階；および
前記第１認証結果と前記第２認証結果とを比較して、前記第１認証結果と前記第２認証結果との間で整合が存在すれば前記コードレス基地局を認証する段階；
を具備することを特徴とする方法。
【請求項８】
電話網に結合されたコードレス基地局を有する通信システムにおいて動作する認可装置を認証する方法であって、該認証により前記コードレス基地局は前記電話網において動作することが許可され、前記コードレス基地局は自己に関連する識別コードを有し、当該方法は：
前記コードレス基地局から前記認可装置に対して、前記コードレス基地局で生成された乱数と識別コードとを含む認証要求を送信する段階；
前記乱数および前記識別コードに基づいて、前記コードレス基地局において第１認証結果を生成する段階；
前記乱数および前記コードレス基地局の識別コードに基づいて、前記認可装置において第２認証結果を生成する段階；
前記第２認証結果を前記コードレス基地局に送信する段階；および
前記第１認証結果と前記第２認証結果とを比較して、前記第１認証結果と前記第２認証結果とが整合すれば、前記認可装置を認証する段階；
を具備することを特徴とする方法。
【請求項９】
電話網に結合されたコードレス基地局を有する通信システムにおいて動作する認可装置を認証する方法であって、該認証により前記コードレス基地局は前記電話網において動作することが許可され、前記コードレス基地局は自己に関連する識別コードを有し、当該方法は：
前記コードレス基地局から前記認可装置に対して、前記コードレス基地局で生成された乱数と識別コードとを含む認証要求を送信する段階；
前記乱数および前記識別コードに基づいて、前記コードレス基地局において第１認証結果を生成する段階；
前記コードレス基地局において、前記乱数および前記コードレス基地局の識別コードに基づいて前記認可装置で生成された第２認証結果を受信する段階；および
前記第１認証結果と前記第２認証結果とを比較して、前記第１認証結果と前記第２認証結果とが整合すれば、前記認可装置を認証する段階；
を具備することを特徴とする方法。
【請求項１０】
コードレス基地局と電話網に接続された認可装置との間の有線通信リンクの正当性を確認する方法であって、該確認により前記コードレス基地局は前記電話網において動作することが許可され、当該方法は：
（ａ）前記認可装置から前記コードレス基地局に対して、第１乱数を有する第１認証要求信号を送信する段階；
（ｂ）第２乱数と、前記コードレス基地局内で前記第１乱数に基づいて生成された第１認証結果とを含む第２認証要求信号を前記コードレス基地局から前記認可装置に送信する段階；
（ｃ）前記第１認証結果を、前記第１乱数に基づいて前記認可装置内で生成された第２認証結果と比較し、前記第１認証結果が前記第２認証結果と整合すれば前記コードレス基地局を認証する段階；
（ｄ）前記認可装置から前記コードレス基地局に対して、前記第２乱数に基づいて前記認可装置内で生成された第３認証結果を送信する段階；および
（ｅ）前記第３認証結果を、前記第２乱数に基づいて前記コードレス基地局内で生成された第４認証結果と比較し、前記第３認証結果が前記第４認証結果と整合すれば前記認可装置を認証する段階；
を具備することを特徴とする方法。
【発明の詳細な説明】
発明の分野
本発明は、一般に携帯電話に関し、さらに詳しくは、通信装置と認可装置との間の通信リンクの正当性を確認する方法に関する。
発明の背景
コードレス電話システムは、通常、携帯用コードレス電話機と地上電話回線により電話会社の電話システムに接続されたコードレス基地局とを具備する。コードレス基地局には、家庭内などコードレス基地局の限られた範囲内でユーザがコードレス携帯電話機を用いて呼の発信および受信をすることを可能にする地上回線の電話番号が割り当てられる。しかし、範囲が限られているために、コードレス携帯電話機は、比較的局地的な無線電話通信を提供する。
コードレス電話システムの範囲外の無線電話通信も、セルラ電話システムを介してユーザに提供される。セルラ電話システムは、通常、（移動または携帯用の）セルラ加入者ユニットと１つ以上のセルラ交換網を介して地上電話回線システムに接続されたセルラ基地局とを具備する。それぞれのセルラ加入者ユニットには、ユーザが都市全体などの広範囲のセルラ基地局内で呼の送受信を行うことを可能にするセルラ電話番号が割り当てられる。しかし、セルラ電話サービスを利用するためのコストは、コードレス電話サービスよりもはるかに高い。
携帯用セルラ・コードレス（PCC）無線電話を内蔵するコードレス通信システムが図示される。PCCは、PCCのユーザのために電話網に対して個人用の電話回線を相互接続する複数のセルラ基地局，マイクロセルラ基地局またはコードレス基地局を有する従来のセルラ無線電話システムと通信する能力を持つ。コードレス通信システムは、認可および呼配信装置を用いて、電話交換システムに呼配信情報を提供する。これにより、交換システムは、セルラ・システム，マイクロセルラ・システムおよびコードレス・システムの間に電話呼を自動的に配信する。認可および呼配信装置は、コードレス基地局１１５がチャネルを利用する認可も行う。しかし、電話網のオペレータとPCCのユーザの両方に関して問題がある。特に、電話網のオペレータは、PCCのユーザがアクセスすることを認可されていないシステム内のサービスに不正にアクセスしないようにしなければならない。同様に、PCCのユーザは、アクセスされているセルラ・システムが不正なシステム（すなわちスペクトルを不法に利用している不正なオペレータにより開設されたシステム）でないことを確認しなければならない。
従って、コードレス基地局と認可および呼配信装置との間の通信リンクの正当性を確認して、PCCが通信システム上で動作することを許され、認可および呼配信装置が通信システムのスペクトルを割り当てることを許されることを確認する方法が必要である。
【図面の簡単な説明】
第１図は、セルラ・システムおよびコードレス・システムの両方を含むいくつかのシステムが同一の携帯無線電話によりアクセスされる携帯無線電話の動作設定のブロック図である。
第２図は、認可および呼配信装置（ACRE：authorization and call routing equipment）のブロック図である。
第３図は、コードレス・システム，マイクロセルラ・システムおよびセルラ・システムのカバレージ・エリアの通常の配置を示す地図である。
第４図は、本発明を採用するコードレス基地局のブロック図である。
第５図は、本発明を採用する携帯無線電話のブロック図である。
第６図は、第５図の携帯無線電話で採用されるシステム走査過程のタイミング図である。
第７図は、登録メッセージ・シーケンスのタイミング図である。
第８図は、第５図の無線電話と通信する際にどのチャネルを用いるかを決定するために第４図のコードレス基地局が採用する流れ図である。
第９図は、第４図のコードレス基地局が第１０図の流れ図と共に採用して、どのチャネルが最低限のチャネル基準を満たすかを判定するための流れ図である。
第１０図は、第４図のコードレス基地局が第９図の流れ図と共に採用して、どのチャネルが最低限のチャネル基準を満たすかを判定するための流れ図である。
第１１図は、第４図のコードレス基地局が、どのチャネルが最良のチャネル品質を有するかを判定するために採用する流れ図である。
第１２図は、セルラ・スペクトルの簡略なグラフである。
第１３図は、第４図のコードレス基地局が初期化動作の際に採用する流れ図である。
第１４図は、第４図のコードレス基地局が初期化動作の際に採用する流れ図である。
第１５図は、コードレス基地局とACREを認証する過程の一般的なブロック図である。
第１６図は、コードレス基地局を認証する過程のブロック図である。
第１７図は、第１６図のステップ６２６，６３１に示されるコードレス基地局認証結果を生成する過程のブロック図である。
第１８図は、ACREを認証する過程のブロック図である。
第１９図は、第１８図のステップ６６６，６６７に示されるACRE認証結果を生成する過程のブロック図である。
第２０図は、有線インターフェース・キー（WIKEY：wireline interface key）を更新する過程のブロック図である。
第２１図は、コードレス基地局とACREとの間に送信される信号に関する信号プロトコルを示す。
好適な実施例の詳細な説明
本発明の方法は、一般に通信システム内の通信リンクの正当性を確認する。特に、本方法は、コードレス基地局が認可および呼配信装置と通信することを認証し、認可装置がコードレス基地局と通信することを認証することによって、コードレス基地局と認可および呼配信装置との間の通信リンクの正当性を確認する。好ましくは、コードレス基地局を認証する段階は、認可装置内で生成される第１乱数に基づいて行われ、認可装置を認証する段階はコードレス基地局内で生成される第２乱数に基づいて行われる。コードレス基地局と認可装置の両方が認証されたときに、コードレス基地局と認可装置との間の通信リンクが許可される。
本発明の用途の一般的なブロック図を第１図に示す。携帯セルラ・コードレス（PCC）無線電話１０１は、地理的に離れた場所に配置されるが、広い地域に無線電話カバレージを提供するよう配列された複数のセルラ基地局１０５，１０７を有する従来のセルラ無線電話システム１０３と通信する機能を有した状態で図示される。セルラ基地局は、ユーザ用セルラ移動および携帯装置のチャネル切換を含む複数のセルラ基地局間の調整を行い、公衆交換電話網（以下「TELCO」と識別される）１１１に呼を切り換えて相互接続する制御端末１０９に結合される。
PCC１０１は、電力がより低く機能も限られているが商店街や空港などのそれぞれの地域に公衆無線電話サービスを提供するセルラの補助的セルであるマイクロセルラ基地局１１３と通信する機能をさらに有する。マイクロセルラ基地局１１３は、TELCO１１１地上電話回線システムに結合されて、呼をTELCOに送ることができる。
PCC１０１は、PCC１０１のユーザのためにTELCO１１１に対して個人用の電話回線を相互接続するコードレス基地局１１５と通信し、それを介して無線電話呼を送る能力をさらに有する。コードレス通信システムは、認可および呼配信装置（ACRE）１１７を用いて、電話交換システムに呼配信情報を提供する。これにより交換システムは、セルラ・システム，マイクロセルラ・システムおよびコードレス・システムの間に自動的に電話呼を配信する。ACRE１１７は、コードレス基地局１１５のチャネル利用の認可も行う。ACRE１１７は、TELCO１１１の一部としても、あるいは独立した装置としてもよい。前述のように、コードレス基地局１１５とPCC１０１とは共に、コードレス電話サービスとして従来知られている限られた範囲の無線サービスを提供する。このようなサービスは、従来はVHF（超短波）またはUHF（極超短波）無線帯域内のいくつかの無線周波数チャネルを用いて普及してきた。
無線電話のユーザは、米国内のどこを旅行しても無線電話サービスが使用可能であること、またこのサービスが最低の料金で提供されることを期待するだろう。また、無線電話サービスをできるだけ小型で安価な携帯ユニット内に設置することも期待される。PCC１０１は、この目的を満足させるために独自に設定される。さらに、コードレス基地局１１５は、ユーザがコードレス基地局１１５の無線範囲内にPCC１０１を持てばユーザの家庭用電話回線に電話の相互接続が行えるよう独自の設計となっている。
第２図にACRE１１７のブロック図を示す。ACRE１１７は、インターフェース２０２によりTELCO１１１に接続される。インターフェース２０２は、TELCO１１１とプロセッサ２０４との間のメッセージを制御し、フォーマット化する。プロセッサ２０４は、制御ソフトウェア・メモリ２０６と共に、ACRE１１７の頭脳となり、認可および認証の作業を実行して、呼配信情報を提供する。加入者データベース２０８には、上記の作業を実行するためにプロセッサ２０４が必要とするデータが含まれる。ACRE１１７は、第２図に示されるようにTELCO１１１とは分離しても、あるいは通常は交換装置の一部であるTELCO１１１の一部としてもよい。ACRE１１７がTELCO１１１の一部である場合は、ACRE１１７はインターフェース２０２を必要としないことがある。さらに、ACREの機能は、TELCOにおいて既存の装置によって実行されることがある。最後に、本発明のある側面により、ACREは認証機能だけを提供して認証装置と見なされることもある。以下の説明は、一般にACREに言及するが、ACREという用語は実行例によっては認可装置を説明すると見なされる場合もあることを理解頂きたい。
第３図は、コードレス・システム，マイクロセルラ・システムおよびセルラ・システムのカバレージ・エリアの通常の配置を示す。コードレス・システムのカバレージ・エリアが最も小さくて、マイクロセルラ・システムの中に入る。マイクロセルラ・システムは、中間のカバレージを有し、セルラ・システムの中に入る。各システムのカバレージ・エリアは、各システム内の基地局の数，各基地局のアンテナ高および各システムが用いる電力レベルなどに依存する。携帯無線電話のユーザは、種々のカバレージ・エリア間で移動することができる。携帯無線電話は、携帯無線電話の位置，システムの使用可能性およびユーザの好みなどによりシステム間で変わることがある。
システムのカバレージ・エリアは、第３図に図示される特定の配置に限定されない。カバレージ・エリアは、他のカバレージ・エリアとは独立していることも、あるいは１つ以上の他のカバレージ・エリアと部分的に重複することもある。
コードレス基地局１１５は、概念的には、従来のセルラ送出信号化チャネルと同様の方法で送出データ・メッセージを送信し、PCC１０１などの遠隔ユニットからサービス要求を受信する単独の信号化チャネルを提供する超小型セルラ・システムである。適切なサービス要求には、PCC１０１がその電話呼に同調するよう命令されるのと同じまたは第２の無線周波数上で（制御チャネルを介して行われる）音声チャネルの割当がなされる。
コードレス基地局の基本的な実行例を第４図に示す。従来のセルラ・サービスで用いられている、８６９ないし８９４MHzおよび８２４ないし８４９MHzの周波数帯域でそれぞれ用いるのに適した従来の送信機３０１および従来の受信機３０３は、デュプレクサ３０７を介して共通のアンテナ３０５に結合される。送信機３０１の電力出力は、約６ミリワットに限定されるので、他のサービスや他のコードレス電話局に対する干渉は最小限に抑えられる。チャネル周波数の選択は、論理ユニット３１１により制御される周波数シンセサイザ３０９によって行われる。論理ユニット３１１内には、モトローラ社製の68HC11または同様のマイクロプロセッサであるマイクロプロセッサ３１３があり、これはマイクロプロセッサ動作プログラム，基地識別（BID：base identification）およびカストマイジング・パーソナリティやその他の機能を格納する従来のメモリ装置３１５に結合される。被受信および被送信データは、符号化／解読され、受信機３０３，送信機３０１およびマイクロプロセッサ３１３の間に信号化インターフェース・ハードウェア３１７により結合される。マイクロプロセッサの命令は、制御ハードウェア３１９により伝搬され、実行される。ユーザの家庭用地上電話回線とのインターフェースは、従来どおりTELCOインターフェース３２１により行われる。電力は、従来のAC本線から供給され、（すべて電源３２３として示される）予備バッテリによりバックアップされる。
PCC１０１は、第５図にブロック図で示される携帯無線電話トランシーバである。８６９ないし８９４MHzの周波数帯域を受信することのできる携帯無線受信機４０１と、８２４ないし８４９MHzの周波数で低電力（好適な実施例では約６ミリワット）で送信することのできる携帯送信機４０３とは、デュプレクサ４０７を介してPCC１０１のアンテナ４０５に結合される。送信機４０３および受信機４０１により用いられる無線周波数の特定のチャネルは、マイクロプロセッサ４０７により決定されて、インターフェース回路４１３を介して周波数シンセサイザ４１１に伝搬される。受信機４０１が受信したデータ信号が解読され、インターフェース回路４１３によってマイクロプロセッサ４０９に結合され、送信機４０３により送信されるデータ信号は、マイクロプロセッサ４０９により生成され、送信機４０３によって送信される前にインターフェース４１３がフォーマット化する。送信機４０３および受信機４０１の動作状態は、インターフェース４１３によりイネーブルまたはディスエーブルになる。インターフェースは、どのシステムをPCC１０１が現在受信中かをユーザに知らせるために用いられる発光ダイオード４１５，４１７の制御も行う。ユーザ用音声，マイクロホン出力およびスピーカ入力の制御部は、音声処理回路構成４１９により制御される。
好適な実施例においては、マイクロプロセッサ４０９は、モトローラ社製の68HC11マイクロプロセッサであり、従来のROM４２１に格納されたプログラムの制御下で必要な処理機能を実行する。PCC１０１の特徴的機能は、EEPROM４２３に格納され（これはマイクロプロセッサのオンボードEEPROMに格納されることもある）、従来のセルラ・システムの動作に必要とされる番号割当（NAM：number assignment）およびユーザ自身のコードレス基地との動作に必要な基地識別（BID）を含む。
PCC１０１の送信機４０３は、従来のセルラ・システムの動作に必要な出力電力の全範囲で送信する能力を有する。この出力電力範囲は、約６００ミリワットの高出力電力レベルから６ミリワットの低出力電力レベルまでの６組の出力電力強度で成り立つ。この６組の出力電力範囲は、PCC１０１がセルラ・システム・モードにあるときにイネーブルになる。
本発明の好適な実施例により、同一のPCC１０１がコードレスおよびセルラ電話システム１０３の両方と互換性がある。これは、PCC１０１がセルラ電話周波数だけを用いてコードレスおよびセルラ電話システム１０３の両方で動作できるようにすることにより実行される。
この無線電話構造は、ユーザにとって望ましい利点を持つ。PCC１０１は、コードレス基地局１１５と共に、PCC１０１が配置される電話システムに対して、ACRE１１７を介して着信呼をユーザに不便を与えずに自動的に配信することができる。TELCO１４は、ACRE１１７と共に、ユーザに不便を与えずに着信呼をPCC１０１に自動的に配信することができる。
PCC１０１に関して設定される優先権は、コードレス基地局１１５がユーザの電話呼の第１の所望の経路となり、従来のセルラ（またはマイクロセルラ・システム）が第２の選択肢となるもので、この優先権を実行する過程を第６図に示す。第６図の図は、セルラ・システム，コードレス基地およびマイクロセルラ・システムから送信された送出信号化チャネルまたは信号化チャネルの組のPCC受信機４０１による受信を時間に関して示す。この図は、本発明の独自の走査優先権の特性を理解する助けとなる。
PCC受信機４０１は、（複数のセルラ信号化チャネルの中から従来の方法で選択された）セルラ・システム信号化チャネルから送信されている送出メッセージ・ストリームを監視４３１することができる。PCC受信機４０１は、適切な時刻にそのマイクロプロセッサ４０９によって、コードレス基地局１１５により信号化チャネルとして用いられている周波数または周波数の１つに同調するよう命令される。PCC受信機４０１は、時間ｔ2の間、コードレス基地送出信号化チャネルまたはチャネル群を走査する（４３３）。信号化データ・ストリームが充分な品質で受信されない場合は、PCC受信機４０１はセルラ・システム１０３の以前選択された信号化チャネルに戻される。受信機は、代替システムの１つの信号化チャネルを再び走査しようとする前に、時間ｔ1の間同調されたままになる。ｔ1とｔ2の関係は、PCC受信機４０１が、いずれのセルラ・ページ・メッセージ送信時間中にも代替システムを走査しているので、５秒間の休止の後で従来どおり反復されるセルラ・ページ・メッセージ（すなわち無線電話呼またはその他の被送信要件）が失われないようになっている。時間ｔ1は、２つのページの間の休止と２つのページを送信するための通常の時間の和よりも大きくなければならない。時間ｔ2は、２つのページ間の時間より短くなければならない。休止時間が５秒で、１ページを送信するための通常の時間が１８５．２ミリ秒の場合、ｔ1は、５．３７０４秒より大きくなければならず、ｔ2は、５秒未満でなければならない。時間ｔ1の間セルラ・システム信号化チャネルを監視した後で、PCC受信機４０１は、マイクロセルラ・システムの信号化チャネルまたは信号化チャネル群に順次同調するよう命令される。これが４３７に図示される。所定の信号化チャネル周波数の走査中に充分なマイクロセル信号化チャネルが見つからない場合、PCC受信機４０１は４３９に示されるようにセルラ・システム信号化チャネルに再同調する。
適切な品質要件を満たす信号化データ・ストリームを発見するコードレス基地局１１５の信号化チャネルの走査４４１を行うことにより、PCC受信機４０１はコードレス信号化チャネルの監視を引続き行う。PCC４０１は、PCC１０１がコードレス基地の被送信信号を連続して５秒間受信できなくなるまで、他のシステムに再走査することなくこのコードレス信号化チャネルに留まる。
このような優先権を与えることの効果は、PCC１０１のコードレス基地局１１５に優先権を与えることである。コードレス基地局１１５の信号化チャネルが見つかると、PCC１０１はこのチャネルに同調されたままになる。そのため、PCC１０１が最初にセルラ・システムに同調されると、コードレス基地局にアクセスすることが可能なときに自動的にコードレス基地局に切り替わる。PCC受信機４０１がコードレス基地信号化チャネルを発見すると、そのチャネルに同調されたままになる。PCCトランシーバが最初にオンになったとき、信号化チャネルのその第１回目の走査は、コードレス基地局１１５の再設定された信号化チャネルまたはチャネル群である。もちろん、ユーザはPCC１０１に打ち消しコードを入力することにより、自動優先走査階層を打ち消すことができる。この方法で、ユーザはセルラ・システム信号化チャネルのみ，コードレス基地信号化チャネルのみ，マイクロセルラ・システム信号化チャネルのみまたはこれらのシステムの組み合せの走査を強制することができる。また、ユーザは選択したシステムに対する１回の打ち消しで起呼を行うこともできる。
システムの信号化チャネルが監視されていると、PCCトランシーバのユーザに対して視覚的指標が与えられる。好適な実施例においては、この指標は、１組の発光ダイオード（ＬＥＤ）４１５，４１７であり、これらのうち１個のダイオードが一意的に発光してどのシステムにPCCトランシーバが同調されているかを示す。同じ情報を伝えるために他の指標を代替に用いることもできる。たとえば、PCC１０１の番号ディスプレイにシステム識別子が現れたり、あるいは（異なる点滅速度を有する）点滅符号を用いることもできる。いずれにしても、この指標によりユーザは、自分が今どのシステムにいるのかを判定することができ、表示されたシステム内で無線電話呼を終了したいか否かを決定することができる。
PCC１０１がコードレス基地局１１５と通信を行うためには、特定のチャネルを用いるための認可を受けねばならない。FCCによりセルラ・スペクトルの認可を受けた者はその送信機を制御することが要求されるので、認可は必要である。コードレス基地局１１５は、その認可を定期的に更新するようプログラミングされている。これを実行するために、個人の基地局１１５はACRE１１７に対して電話呼を発する。ACRE１１７は、認証過程で用いられる第１乱数を含む接続メッセージ５０２（第７図参照）で応答する。コードレス基地局１１５は、認証メッセージ５０４で応答する。認証メッセージ５０４には、コードレス基地局ＩＤ，第１乱数を用いて計算された第１認証結果および第２乱数が含まれる。ACRE１１７は、第２乱数を用いて計算された第２認証結果と、コードレス基地局１１５がどのチャネル上でPCC１０１と通信することができるかを示す情報とを含む認可および認証メッセージ５０６で応答する。コードレス基地局１１５は、PCC１０１の移動識別番号を含む登録メッセージ５０７で応答する。登録メッセージ５０７は、PCC１０１がコードレス基地局１１５の範囲内にあるときにだけ送付される。登録メッセージ５０７は、ACRE１１７に対して、PCC１０１に対する呼をコードレス基地局１１５に配信するよう通知する。ACRE１１７は、コードレス基地局１１５に対して登録メッセージ５０７が受信されたことを通知する登録肯定応答メッセージ５０８をコードレス基地局１１５に送付することにより応答する。コードレス基地局１１５は、次に認可メッセージ・シーケンスが成功したか否かを知らせる解放メッセージ５０９で応答する。
第８図において、コードレス基地局１１５は、PCC１０１との通信にどの被認可チャネルを用いるかを決定する。ブロック５１０で、認可メッセージ５０６がコードレス基地局１１５により受信される。次に、コードレス基地局１１５は、ブロック５１２に示されるように認可メッセージ５０６内の情報から１組の被認可チャネルを計算する。次に、コードレス基地局１１５は、ブロック５１４に示されるように、認可されチャネル基準を満たすチャネル上でのみ通信を行う。あるチャネルが品質基準を満たすか否かを判定する過程は、第９図ないし第１１図に説明される。
ブロック５１４に図示されるチャネル品質基準試験は、いくつかの方法で実行することができる。たとえば、最低限のチャネル基準を設定して、この最低限の基準を満たすチャネルのみを通信に用いるようにすることができる。この実行例は、第９図および第１０図に詳細に説明される。チャネル品質基準を決定する別の方法は、最良のチャネル品質を有するチャネル上でのみ通信することである。この過程を第１１図に説明する。
チャネルが最低限のチャネル基準を満足するか否かを判定する過程の１つの実行例を第９図および第１０図に示す。この過程はブロック５２０で開始される。ブロック５２２で、チャネルに関する干渉信号電力が測定される。この信号電力は、ブロック５２４で閾値または最大信号強度と比較される。信号電力が最大値を越えている場合は、そのチャネルに関連するタイマがブロック５２６で始動またはリセットされ、ブロック５２８で次のチャネルが選択される。ブロック５２４で最大信号強度を越えていない場合は、次のチャネルがブロック５２８で選択される。ブロック５２２で次のチャネルに関する処理が開始される。この過程によって、各チャネルについて最大干渉信号強度を越えてからどのくらい時間がたっているかを判定することができる。
第１０図では、この情報を用いてどのチャネルが、第８図のブロック５１４で必要とされるチャネル品質基準を満たすかが判定される。ブロック５３０でアルゴリズムが開始される。次に、ブロック５３２で、チャネル・タイマがブロック時間以上であるか否かが判定される。イエスの場合、ブロック５３４で、そのチャネルがチャネル品質基準を満たしており、コードレス基地局１１５とPCC１０１との間の通信に用いることができる。ノーの場合は、ブロック５３６でそのチャネルが閉鎖され、そのチャネルはコードレス基地局１１５とPCC１０１との間の通信に用いることはできない。この過程は、ブロック５３８で次のブロックについて開始される。
本発明の範囲から逸脱することなくこの過程にいくつかの変更を加えることができることは、当業者には明かであろう。このような修正には、第９図のブロック５２２でチャネルに関してビット誤り率（BER：bit error rate）を測定し、これが最大許容BERより大きいか否かを判定する段階が含まれる。被受信信号強度などの他のパラメータを測定したり、これらを組み合わせて用いることもできる。第１０図のブロック５３２のブロック時間をゼロに設定して、チャネルが瞬間的に第９図のブロック５２４の試験を満足すればよいだけにすることもできる。
第１１図は、最良チャネル・アルゴリズムを説明し、ブロック５４０で開始される。次にブロック５４２ですべてのチャネルに関してチャネル品質が測定され、格納される。この尺度は、干渉信号強度，BERまたは被受信信号強度またはそれらの組み合せとすることができる。ブロック５４４で、最良チャネル品質を有するチャネルが選択される。選択されたチャネルが最良チャネルとなり、コードレス基地局１１５がPCC１０１と通信するチャネルとなる。この過程は、ブロック５４２で反復して開始される。
コードレス基地局１１５は、第９図および第１０図の最低限チャネル基準アルゴリズムと第１１図の最良チャネル・アルゴリズムとの間で、認可および認証メッセージ５０６に含まれる情報に基づいて選択を行う。ある実行例では、被認可チャネルがコードレス以外のサービスと共有される場合は最低限チャネル基準アルゴリズムが有利であり、被認可チャネルがコードレス・サービスのみに用いられる場合は最良チャネル・アルゴリズムが有利である。
コードレス基地局１１５の興味深い特徴の１つに、セルラ通信システムと共有されない３つのチャネル上で動作するように設計されている点がある。これを第１２図に示すが、ここではFCCによりセルラ・システム・プロバイダに割り当てられる周波数帯域５６０またはセルラ帯域が示される。FCCは、セルラ通信を行うことができる帯域内のチャネル５６２（セルラ・チャネル）の定義も行う。この組のチャネルは、周波数帯域５６０の一部を１つのチャネルに割り当てないままにする。コードレス基地局１１５は、この割り当てられていない周波数５６４を用いて、３つの非共有チャネルを、２つはコードレス基地局１１５がPCC１０１と通信することのできるスペクトルの下限に、１つをこのスペクトルの上限に定義する。第９図および第１０図で設定された最低限チャネル基準を満たすチャネルがない場合に、これらの３つのチャネルをコードレス基地局１１５が用いることができる。これらのチャネルはまた、第８図に示されるように認可されたチャネルがないときにも用いることができる。
チャネルを用いることができるようになる前に一定の時間の間、ある基準をそのチャネルが満たさねばならない場合は、最低限チャネル基準アルゴリズムを用いるコードレス基地局１１５の初期電源投入時に問題が起こることがある。この問題は、１組の被認可チャネルが突然変更された場合、初期電源投入時または初期化動作時に起こる。この問題が起こると、あるチャネルが最低限チャネル基準を越えているか否か、またどのくらいの期間の間このチャネルが最低限チャネル基準を越えているかを知ることが不可能になる。従って、電源投入時には以下の仮説をたてねばならない：すなわちすべてのチャネルが第８図のブロック５１４で要求される基準を満たすか、あるいはブロック５１４で要求される基準を所定の時間の間満たすチャネルがないかのいずれかである。これらの２つの前提を第１３図および第１４図に示す。第１３図では、ブロック５７０で電源が投入される。次にブロック５７２ですべてのチャネル・タイマがリセットされる。次にブロック５７４で認可メッセージが受信される。これは第８図のブロック５１０に対応する。タイマがリセットされているので、第１０図のブロック５３２では、少なくともブロック時間に等しい期間の間、このブロック時間を越えるチャネルはない。そのため、第１３図の前提は、電源投入時にチャネル基準を満たすチャネルがないことになる。
第１４図は、ブロック５７６にコードレス基地局１１５の初期電源投入を示す。初期電源は、第１３図に関して前述された初期化動作と置き換えることもできる。次にコードレス基地局１１５は、ブロック５７８で認可メッセージを受信する。次にブロック５８０ですべてのチャネル・タイマがブロック時間に設定される。これにより、チャネルは、コードレス基地局の電源投入時に、第１０図のブロック５３２に示されるように必要な時間の間チャネル基準を満たすと仮定される。
次に第１５図には、コードレス基地局１１５およびACRE１１７を認証する過程が示される。認証過程は、ステップ６０２で開始される。本発明の方法により、ACREはステップ６０３で、コードレス基地局が起呼時に通信システム内で動作することを認証し、コードレス基地局はステップ６０４で、ACREが通信システム内で動作することを別に認証する。第１ステップ６０５で、コードレス基地局認証過程が開始される。ステップ６０６でコードレス基地局が認証されない場合は、認証過程はステップ６０８で終了する。コードレス基地局がステップ６０６で認証されると、ACRE認証過程がステップ６１０で開始される。ステップ６１２でACREが認証されない場合は、認証過程はステップ６０８で終了する。しかし、ACREが認証されると、ステップ６１４で通信リンクがイネーブルになる。ステップ６１５で、コードレス基地局とACREの両方の認証過程に用いられる有線インターフェース・キー（WIKEY）を任意で更新することができる。コードレス基地局とACREの認証過程におけるWIKEYの利用は、第１６図ないし第２０図に詳細に説明する。
第１５図の認証過程では、コードレス基地局認証過程の後にACRE認証過程が続くが、これらの過程は逆の順序でも、あるいは同時に実行することもできることを理解頂きたい。たとえば、第７図に示されるように、これらの認証過程を同時に行う。このとき、第７図の認証メッセージ５０４には、ステップ６０６で生成されたコードレス基地局認証結果と、ステップ６１０のACRE認証要求とが含まれる。
第１６図には、コードレス基地局認証過程が図示される。ステップ６２２で、ACREはコードレス基地局認証要求をコードレス基地局に送る。コードレス基地局認証要求は、第７図の汎用信号化プロトコルの接続メッセージ５０２に含まれることもある。コードレス基地局は、ステップ６２４で認証要求を受信する。ステップ６２６で、コードレス基地局はコードレス基地局認証結果を生成する。ステップ６２８で、コードレス基地局は、コードレス基地局結果を含む認証応答をACREに送付する。認証応答は、ステップ６３０でACREに受信される。この認証応答は、（第７図の）認証メッセージ５０４に含まれることもあり、好ましくはコードレス基地局と一意的に関連するコードレス基地局識別子などのコードレス基地局情報を含む。しかし、コードレス基地局識別子は、ACREにすでに存在する場合も、あるいは別の時刻に異なるメッセージとして送られる場合もあることを理解頂きたい。ステップ６３１で、ACREはコードレス基地局認証結果を独立して生成する。ステップ６２６，６３１で生成されるコードレス基地局認証結果を生成する過程は、第１７図に関連して詳細に説明される。
ステップ６３２で、ACREは、コードレス基地局によって生成されたコードレス基地局認証結果が、ACREによって生成されたコードレス基地局認証結果と等しいか否かを判定する。認証結果が等しい場合、ステップ６３４でコードレス基地局が正当であることが判定される。しかし、認証結果が等しくない場合は、ステップ６３６でコードレス基地局は正当でないと判定される。ステップ６３８で、コードレス基地局認証過程が終了する。
第１７図には、（第１６図のステップ６２６，６３１に一般的に示される）コードレス基地局認証結果を生成するための好適な過程が詳細に図示される。認証結果を生成する際には、RANDACRE（ACREによって生成された乱数）６４２，コードレス基地局識別子（CBSID：cordless base station identification）６４４，ACRE電話番号６４６および有線インターフェース・キー（WIKEY）６４８を含む入力６４０が必要とされる。好ましくは、認可署名手順６５０は、入力６４０を用いてコードレス基地局認証結果６５２を生成する。アルゴリズムによってRANDACRE６４２，CBSID６４４，ACRE電話番号６４６およびコードレス基地局認証結果６５２に関する１組の値を与えられて、WIKEY６４８を決定することが難しい限り、多くの異なるアルゴリズムがこの認可署名手順に適している。好ましくは６４ビット長であるWIKEYが、好ましくは１８ビット長であるコードレス基地局認証結果よりも実質的に大きな数の可能な組み合せを有するので、これが可能になる。言い換えれば、RANDACRE，CBSIDおよびACRE電話番号に関する１組の値を与えられると、同じコードレス基地局認証結果を生成するWIKEY値は数多くある。
WIKEY６４８，WIKEYと関連するCBSID６４４および認可署名手順６５０を知っている当業者であれば不正装置を構築することができるので、上記の認可署名手順の特徴が望ましい。認可署名手順６５０は、非認可ユーザにより発見され、増殖したコードレス基地局内でこのアルゴリズムを変更することは不便であるので、WIKEY６４８が主要な保安手段となる。それゆえに、この番号の機密はアルゴリズムによって保護される。
第１８図には、ACRE認証過程が図示される。ステップ６６２で、ACRE認証要求がコードレス基地局からACREに送られる。ACRE認証要求は、たとえば、第７図の認証メッセージ５０４内に含まれることも、別のメッセージとして送ることもできる。認証要求は、ステップ６６４でACREにより受信される。ステップ６６６で、コードレス基地局が、またステップ６６７でACREが独立してACRE認証結果を生成する。ACRE認証結果の生成は、第１９図に詳細に説明される。ステップ６６８で、ACREは、ACREにより生成されたACRE認証結果を含む認証応答を送付する。認証応答は、第７図の認可および認証メッセージに含めることもできる。認証応答は、ステップ６６９でコードレス基地局により受信される。ステップ６７０で、コードレス基地局は、ACREにより生成されたACRE認証結果がコードレス基地局により生成されたACRE認証結果と等しいか否かを判定する。認証結果が等しい場合は、ステップ６７２でACREが正当であると判定される。しかし、ACRE認証結果が等しくない場合は、ステップ６７４でACREは正当ではないと判定される。ACRE認証過程はステップ６７６で終了する。
第１９図では、認可署名手順６９２が入力６８０を利用して、ACRE認証結果６９４を生成する。この入力には、乱数RANDCBS６８２，CBSID６８４，ACRE電話番号６８６およびWIKEY６９０が含まれる。認可署名手順６９２は、第１７図に図示される認可署名手順６５０と同じ方法で機能し、同じ特性を有する。
第２０図では、WIKEY生成手順７０８が入力６９６を利用して、新しいWIKEY７１０を生成する。このアルゴリズムに対する入力には、乱数RANDWIKEY６９８，予約７０２，CBSID７０４およびWIKEY７０６が含まれる。WIKEY生成手順７０８も、（第１７図に図示される）認可署名手順６５０と同じ方法で機能し、同じ特性を有して、新WIKEYを生成する。これらのアルゴリズムは、認可署名手順６５０と同じ特性を持つ必要があるが、同じアルゴリズムである必要はない。
WIKEY生成手順７０８は、当初のWIKEY値７０６と乱数RANDWIKEY６９８を組み合わせて利用して新WIKEY値７１０を生成するので独自のものである。WIKEY値を手にいれたい人がいる場合、ACREが次の電話呼で新WIKEYを生成してもよい。その呼の間にその人がRANDWIKEY６９８を手に入れない限り、当初のWIKEY値に基づいて新WIKEY値を決定することは非常に難しい。これは、不正なコードレス基地局を構築する目的のために当初のWIKEY値を役に立たなくするという利点を持つ。
第２１図には、コードレス基地局とACREとの間の通信のための好適な信号化プロトコルが図示される。理解を助けるために、信号は第７図の汎用信号化プロトコルに図示されるメッセージに関して説明される。しかし、送信される特定のメッセージの説明をする前に、ACREからコードレス基地局への汎用順方向信号化プロトコルと、コードレス基地局からACREへの逆方向信号化プロトコルとを説明する。特に、第２１−１図には順方向信号化フォーマットを示す。ACREからコードレス基地局への信号には、バーカ・フィールド７２０，順方向メッセージ・タイプ７２２，メッセージ長フィールド７２４，データ・フィールド７２６および巡回冗長符号（CRC：cyclic redundancy code）フィールド７２８が含まれる。フィールド７２０，７２２，７２４，７２８は、ACREからコードレス基地局に転送されるすべての信号に含まれるので、ACREからコードレス基地局に転送される特定のメッセージに関してデータ・フィールド７２６だけを説明する。第２１−２図は、逆方向信号化フォーマットを一般的に示す。特にコードレス基地局からACREに送られる信号には、逆方向メッセージ・タイプ・フィールド７３０，メッセージ長フィールド７３２，データ・フィールド７３４およびCRCフィールド７３６が含まれる。コードレス基地局からACREに転送されるすべてのメッセージには、フィールド７３０，７３２，７３６が含まれるので、コードレス基地局からACREに送られる特定の信号に関して、データ・フィールド７３４だけを説明する。
順方向および逆方向の汎用信号化フォーマットを説明した後で、それぞれの信号のデータ・フィールドに関して説明する。特に、第２１−３図は、ACREからコードレス基地局への好適な接続メッセージ５０２のデータ・フィールドを示す。好適な接続メッセージには、ACREによって対応され、ACREによって提供される対応のレベルを決定するためにコードレス基地局が利用する有線インターフェース仕様のバージョンを示すプロトコル・バージョン・フィールド７３８が含まれる。好ましくは、接続メッセージには、コードレス基地局認証メッセージ（第２１−６図および第２１−７図に関して後述される）内のコードレス基地局電話番号オプション・パラメータを含むオプション・パラメータを送信することによりコードレス基地局がその位置を識別するか否かを判定する位置報告フィールド７４０も含まれる。接続メッセージには、将来的な信号化ビットのための予約フィールド７４２も含まれる。最後に、接続メッセージ７４４には、ACREによって生成される３２ビットの乱数（第１７図に関して上述された）であり、前述のコードレス基地局認証結果の生成に用いられるRANDACREが含まれる。
第７図の認証メッセージ５０４のためのデータ・フィールドが第２１−４図に図示される。特に、認証メッセージには、通信システム内で接続される個々のコードレス基地局を一意的に識別するコードレス基地局識別フィールド７４６が含まれる。認証メッセージには、将来的な信号化ビットのための予約フィールド７４８も含まれる。フィールド７５０は、コードレス基地局によって生成される乱数コードレス基地局信号（RANDCBS）が含まれる。RANDCBSフィールドは、第１９図に上述されたようにACRE認証結果を生成するために用いられる。フィールド７５２は、第１７図のステップ６５２で生成されたコードレス基地局認証結果を含む。フィールド７５４は、認可計数フィールドである。認可計数は、好ましくは連続的な認可の数を数えるために用いられるモジューロ６４カウンタを含む。最後に、フィールド７５６をオプション・パラメータのために用いることができる。オプション・パラメータの一例を第２１−５図に示す。これにはパラメータ・タイプのためのフィールド７５８と、フィールド７６４パラメータ長と、コードレス基地局電話番号を送信するためのフィールド７６２とが含まれる。
第２１−６図には、認証および認可メッセージ（第７図のメッセージ５０６として図示される）のためのデータ・フィールドが図示される。特に、認可および認証メッセージには、第１９図のステップ６９４で生成されたACRE認証結果フィールド７６４が含まれる。ACRE認証結果は、一般にコードレス基地局によって生成されたACRE認証結果と比較され、ACREが通信システム内で動作することを認証されたか否かを判定する。利用許可フィールドも、コードレス基地局が割り当てられたセルラ・スペクトルなどのスペクトルを共有することを認可されたか否かを示すために備えられる。スペクトル利用フィールド７６８も、チャネル割当アレイ・フィールド７７８に割り当てられたスペクトルがセルラ・システムによって利用されるか否かを示すために備えられる。セルラ・システムによってスペクトルが利用されると、コードレス基地局はそのチャネル上に活動を検出するとそのチャネルを利用しない。スペクトルがセルラによって利用されていない場合は、コードレス基地局は最低レベルの干渉を持つチャネルを利用する。
認可開始フィールド７７２も、認可および認証メッセージ内に設けられる。認可開始フィールドは、次の認可をいつ開始すべきかを示す。認可および認証メッセージ内には、予約フィールド７７４も含まれ、その後に初期チャネル番号フィールド７７６が続く。初期チャネル・フィールドには、チャネル割当アレイに関する当初の１０kHzチャネル番号が含まれる。チャネル割当アレイ・フィールド７７８は、利用することが許された１０kHzチャネルを示す。このアレイ内の各ビットは、好ましくは特定の１０kHzのチャネル番号に対応する。このアレイの最も左側のビットは、好ましくは初期チャネル番号によって指定される１０kHzチャネルに対応する。アレイ内のもっとも右側のビットは、初期チャネル番号フィールド７７６によって指定された１０kHzチャネルより６３チャネル上の１０kHzチャネルに対応する。
認可および認証メッセージには、信号強度レベルに関するいくつかのデータ・フィールドも含まれる。特に、コードレス基地局の最大被受信信号強度フィールド７８０は、チャネルの利用を許された最大被受信信号強度を示す。チャネルの信号強度が所定の値より高い場合は、そのチャネルはコードレス基地局により利用されない。同様に、PCCの最大被受信信号強度フィールド７８２は、PCC受信周波数の最大信号電力レベルを示す。ブロック時間フィールド７８４は、コードレス基地局による利用に先立ち、チャネルの信号強度が最大信号強度以下でなければならない連続時間を示す。コードレス基地局の最大送信レベル７８６は、コードレス基地局が送信することのできる最大電力レベルを示す。同様に、フィールド７８８は、システムで許される最大PCC送信電力レベルを示す。最後に、オプション・パラメータ７９０は、認可および認証メッセージのデータ・フィールドに含まれる。
オプション・メッセージの第１例を第２１−７図に示す。データ・フィールドは、パラメータ・タイプ・フィールド７９２，パラメータ長フィールド７９４およびACRE電話番号７９６を備える。送付される第２オプション・パラメータを第２１−８図に示す。データ・フィールドは、このオプション・パラメータ・タイプ・フィールド７９８，パラメータ長フィールド８００およびRANDWIKEYフィールド８０２のためのものである。RANDWIKEYは、第２０図に説明される新しいWIKEYを生成するために用いられる。
第２１−９図には、登録メッセージ（第７図のメッセージ５０７）が図示される。登録メッセージは、登録タイプ・フィールド８０４，移動識別番号（MIN：mobile identification number）８０６，電子連続番号（ESN：electronic serial number）８０８およびオプション・パラメータ８１０を備える。オプション・パラメータの一例を第２１−１０図に示す。これは多重電話番号呼配信に用いることもできる。特に、オプションのフィールドには、パラメータ・フィールド８１２，パラメータ長フィールド８１４，登録タイプ・フィールド８１６，MINフィールド８１８およびESN８２０が含まれる。
第７図の登録肯定応答メッセージ５０８は、第２１−１図の順方向信号化フォーマットの標準により、データ・フィールドなしでACREからコードレス基地局に送付することができる。最後に、第７図の解放メッセージ５０９を第２１−１１図に示す。好ましくは、解放メッセージには解放理由８２２が含まれる。
第２１図は、ACREとコードレス基地局との間で送信される好適な信号と、信号に含まれる好適なフィールドとをいくつか示すが、第２１図は転送することのできる信号を網羅したリストではなく、また具備することのできる信号を網羅したリストでもない。また、種々のフィールドのビット長は可変することも、システム・オペレータの選択により変わることもある。
まとめると、本発明の独自の方法は、コードレス基地局と認可および呼配信装置との間の通信リンクの正当性を確認して、PCCが通信システム上で動作することを許し（すなわちPCCのユーザがシステム内のサービスに不正にアクセスしないようにし）、ACREが通信システムのスペクトルを割り当てることを許されるように（すなわち不法にスペクトルを利用している不正オペレータによりACREが開設されないように）するための必要性を満たす。特に、本方法は、コードレス基地局が認可および呼配信装置と通信することを認証し、認可装置がコードレス基地局と通信することを認証することによって、コードレス基地局と前記認可装置との間の通信リンクの正当性を確認する。好ましくは、コードレス基地局を認証する段階は、認可装置内で生成された第１乱数に基づいて行われ、認可装置を認証する段階はコードレス基地局内で生成された第２乱数に基づいて行われる。コードレス基地局と認可装置の両方が認証されると、コードレス基地局と認可装置との間の通信リンクが許可される。
【図１】
0003716861.tif 000002
【図２】
0003716861.tif 000003
【図３】
0003716861.tif 000004
【図４】
0003716861.tif 000005
【図５】
0003716861.tif 000006
【図６】
0003716861.tif 000007
【図７】
0003716861.tif 000008
【図８】
0003716861.tif 000009
【図９】
0003716861.tif 000010
【図１０】
0003716861.tif 000011
【図１１】
0003716861.tif 000012
【図１２】
0003716861.tif 000013
【図１３】
0003716861.tif 000014
【図１４】
0003716861.tif 000015
【図１５】
0003716861.tif 000016
【図１６】
0003716861.tif 000017
【図１７】
0003716861.tif 000018
【図１８】
0003716861.tif 000019
【図１９】
0003716861.tif 000020
【図２０】
0003716861.tif 000021
【図２１−１】
0003716861.tif 000022
【図２１−２】
0003716861.tif 000023
【図２１−３】
0003716861.tif 000024
【図２１−４】
0003716861.tif 000025
【図２１−５】
0003716861.tif 000026
【図２１−７】
0003716861.tif 000027
【図２１−８】
0003716861.tif 000028
【図２１−６】
0003716861.tif 000029
【図２１−９】
0003716861.tif 000030
【図２１−１０】
0003716861.tif 000031
【図２１−１１】
0003716861.tif 000032